(57)【要約】【課題】ヒンジ構造に起因する組立時間の増加を回避する。【解決手段】本発明は、磁石を利用したコンパクト容器に関し、中間ケースと上部ケースがネジ結合を介して回転式に結合することによって、内部機密性を向上させることができるだけでなく、上部ケースと中間ケースのネジ結合解除の時に、上部ケースが磁石を媒介して、中間ケースと９０度以上の角度を形成し、中間ケースの上端に固定されるように構成することにより、千篇一律的なヒンジ構造を脱皮して組立時間短縮による生産性を向上させることができる。【選択図】図４【特許請求の範囲】
【請求項１】
内容物を貯蔵する内容物貯蔵部を具備する下部ケースと、
前記下部ケースに結合し、上部内周面に第１ネジ山が形成される中間ケースと、
前記内容物貯蔵部の上端開栓部を開閉するように、前記中間ケースにヒンジ結合し、上部に内容物塗布部材を収納することができるように収納溝が形成される密閉部材と、
前記中間ケースの上部を覆うカバー部を有するとともに、前記カバー部の内側において前記中間ケースの第１ネジ山とネジ結合する第２ネジ山が形成される結合部を有し、さらに、前記中間ケースに着脱できるようにネジ結合する上部ケースと、
を含み、
前記上部ケースは、
前記中間ケースとネジ結合が解除されて、前記中間ケースから脱離した状態で磁石を媒介して、前記中間ケースと９０度以上の角度を形成し、前記中間ケースの上端に固定されるように構成されること、
を特徴とする磁石を利用したコンパクト容器。
【請求項２】
前記中間ケースの上端には、内側から外側方向に下向傾斜を成し、曲面を形成すること、
を特徴とする請求項１に記載の磁石を利用したコンパクト容器。
【請求項３】
前記上部ケースの側面一側には、前記曲面に対応するように陥没し形成される停止部を具備すること、
を特徴とする請求項２に記載の磁石を利用したコンパクト容器。
【請求項４】
前記上部ケースには、前記停止部の内側に固定し設置される上部磁石を具備し、
前記中間ケースには、前記上部磁石の引力によって、前記上部ケースの停止部を、前記中間ケースの曲面に固定させる下部磁石を具備すること、
を特徴とする請求項３に記載の磁石を利用したコンパクト容器。
【請求項５】
前記上部ケースには、前記停止部の内側に固定し設置される上部磁石を具備し、
前記中間ケースの上端曲面は、金属材質で形成され、
前記上部磁石の磁力によって、前記上部ケースの停止部が金属材質で形成された前記中間ケースの曲面に固定するように構成されること、
を特徴とする請求項３に記載の磁石を利用したコンパクト容器。
【請求項６】
前記中間ケースには、前記曲面の内側に固定し設置される下部磁石を具備し、
前記上部ケースの停止部は、金属材質で形成され、
前記下部磁石の磁力によって、金属材質で形成された前記上部ケースの停止部が、前記中間ケースの曲面に固定されるように構成すること、
を特徴とする請求項３に記載の磁石を利用したコンパクト容器。
【請求項７】
前記上部ケースの内側には、上部磁石を挿入する空間を形成し、
前記上部磁石の両側にそれぞれ接触して、前記上部磁石を停止部の内側に固定させる一対の固定突起を具備すること、
を特徴とする請求項１に記載の磁石を利用したコンパクト容器。
【請求項８】
前記結合部の上面には、前記カバー部の回転により、一緒に回転するように一定間隔に離間された多数の突出部を具備し、
前記カバー部の下面には、前記多数の突出部と噛み合うように位置する多数の回転ガイド突起を具備すること、
を特徴とする請求項１に記載の磁石を利用したコンパクト容器。
【請求項９】
前記下部ケースには、前記内容物貯蔵部を取り囲み、前記内容物貯蔵部から離間し形成されて、下部磁石の下端を支持する支持部を具備すること、
を特徴とする請求項１に記載の磁石を利用したコンパクト容器。
【発明の詳細な説明】
【技術分野】
【０００１】
本発明は、磁石を利用したコンパクト容器に関し、より詳細には、中間ケースと上部ケースがネジ結合を介して回転式に結合することにより、内部機密性を向上させることができるだけでなく、上部ケースと中間ケースのネジ結合解除の時に、上部ケースが磁石を媒介して、中間ケースと９０度以上の角度を形成し、中間ケースの上端に固定されるように構成することにより、千編一律的なヒンジ構造を脱皮して組立時間短縮による生産性を向上させることができる磁石を利用したコンパクト容器に関する。
【背景技術】
【０００２】
一般的にコンパクト容器は、女性が携帯しながら顔化粧に使用される色調化粧品や白粉を収納して、手軽に携帯することができるものをいう。
【０００３】
このような従来の「コンパクト容器」が大韓民国登録実用新案第２０−０３７２９２３号明細書（以下、「特許文献１」とする。）に開示されている。
【０００４】
特許文献１は、化粧品を収納する内容物器１０と、前記内容物器１０を装着する容器本体２０と、上部にパフ収納溝３１が形成されて、前記容器本体の一側にヒンジ結合した内部蓋３０と、前記容器本体２０の上面一側とヒンジ結合し、対向側にロック及び解除ができるロック部を具備した外蓋４０で構成することを特徴とする。
【０００５】
従来のコンパクト容器は、特許文献１のように千篇一律的に内容物器１０に色調化粧品や白粉の内容物を収納し保管しており、使用の時には容器本体２０の一側にヒンジ結合した外蓋４０を容器本体２０からヒンジ回動により開き、内部に収容されたパフやブラシなどの化粧用具を利用して、化粧品をつけて使用するように構成され、容器本体２０と外蓋４０のヒンジ構造により、組立時間が増加する結果をもたらす。これにより、生産性が低下するという問題があった。
【０００６】
一方、最近になって、コンパクト容器の内部に液状の内容物を貯蔵する、又は、液状の内容物を含浸した発泡ウレタンフォームを収容するケースが増加している。しかしながら、内容物の蒸発を最小化し、液漏れを防止するための多様なシール構造が要求されているものの、前記登録実用新案のように、容器本体２０と外蓋４０がヒンジ構造で構成される場合に、内容物器１０内部の効率的なシーリングを行うことが容易でないという問題があった。
【先行技術文献】
【特許文献】
【０００７】
【特許文献１】大韓民国登録実用新案第２０−０３７２９２３号明細書
【発明の概要】
【発明が解決しようとする課題】
【０００８】
本発明は、上述した問題点を解決するために、考案されたものであり、本発明の目的は、中間ケースと上部ケースをネジ結合を介して回転式に結合することにより、内部機密性を向上させることができるだけでなく、上部ケースと中間ケースのネジ結合解除の時に、上部ケースが磁石を媒介して、中間ケースと９０度以上の角度を形成し、中間ケースの上端に固定されるように構成することにより、千篇一律的なヒンジ構造を脱皮して組立時間短縮による生産性を向上させることができる磁石を利用したコンパクト容器を提供することである。
【課題を解決するための手段】
【０００９】
前記のような問題点を解決するために、本発明に係る磁石を利用したコンパクト容器は、
内容物を貯蔵する内容物貯蔵部に具備する下部ケースと、
前記下部ケースに結合し、上部内周面に第１ネジ山が形成される中間ケースと、
前記内容物貯蔵部の上端開栓部を開閉するように、前記中間ケースにヒンジ結合し、上部に内容物塗布部材が収納されることができるように収納溝が形成される密閉部材と、
前記中間ケースの上部を覆うカバー部を有するとともに、前記カバー部の内側において前記中間ケースの第１ネジ山とネジ結合する第２ネジ山が形成される結合部を有し、さらに、前記中間ケースに着脱できるようにネジ結合する上部ケースと、を含み、
前記上部ケースは、前記中間ケースとネジ結合が解除されて、前記中間ケースから脱離した状態で磁石を媒介して、前記中間ケースと９０度以上の角度を形成し、前記中間ケースの上端に固定されるように構成することを特徴とする。
【００１０】
また、前記中間ケースの上端は、内側から外側に向かって下向に傾斜を成し、曲面を形成することを特徴とする。
【００１１】
また、前記上部ケースの側面一側には、前記曲面に対応するように陥没し形成される停止部を具備することを特徴とする。
【００１２】
また、前記上部ケースには、前記停止部の内側に固定し設置される上部磁石を具備し、前記中間ケースには、前記上部磁石の引力によって、前記上部ケースの停止部を、前記中間ケースの曲面に固定させる下部磁石を具備することを特徴とする。
【００１３】
また、前記上部ケースには、前記停止部の内側に固定し設置される上部磁石を具備し、前記中間ケースの上端曲面は、金属材質で形成され、前記上部磁石の磁力によって、前記上部ケースの停止部が金属材質で形成された前記中間ケースの曲面に固定されるように構成されることを特徴とする。
【００１４】
また、前記中間ケースには、前記曲面の内側に固定し設置される下部磁石を具備し、前記上部ケースの停止部は金属材質で形成されて、前記下部磁石の磁力により金属材質で形成された前記上部ケースの停止部が前記中間ケースの曲面に固定されるように構成することを特徴とする。
【００１５】
また、前記上部ケースの内側には、前記上部磁石を挿入する空間を形成し、前記上部磁石の両側にそれぞれ接触して、前記上部磁石を前記停止部の内側に固定させた一対の固定突起を具備することを特徴とする。
【００１６】
また、前記結合部の上面には、前記カバー部の回転により一緒に回転するように、一定間隔に離間された多数の突出部を具備し、前記カバー部の下面には、前記多数の突出部と噛み合うように位置する多数の回転ガイド突起を具備することを特徴とする。
【００１７】
また、前記下部ケースには、前記内容物貯蔵部を取り囲み、内容物貯蔵部から離間し形成されて、前記下部磁石の下端を支持する支持部を具備することを特徴とする。
【発明の効果】
【００１８】
以上のように、本発明によれば、中間ケースと上部ケースがネジ結合を介して、回転式に結合することによって、内部機密性を向上させることができるだけでなく、上部ケースと中間ケースのネジ結合解除の時に、上部ケースが磁石を媒介して、中間ケースと９０度以上の角度を形成し、中間ケースの上端に固定されるように構成することにより、千篇一律的なヒンジ構造を脱皮して組立時間短縮による生産性を向上させることができる長所がある。
【図面の簡単な説明】
【００１９】
【図１】本発明の第１実施例に係る磁石を利用したコンパクト容器の構成を示す分解斜視図である。
【図２】本発明の第１実施例に係る磁石を利用したコンパクト容器の構成を示す組立斜視図である。
【図３】本発明の第１実施例に係る磁石を利用したコンパクト容器の構成を示す組立断面図である。
【図４】本発明の第１実施例に係る磁石を利用したコンパクト容器の使用方法を示す説明図である。
【図５】本発明の第１実施例に係る磁石を利用したコンパクト容器の使用方法を示す説明図である。
【図６】本発明の第２実施例に係る磁石を利用したコンパクト容器の構成を示す組立斜視図である。
【図７】本発明の第３実施例に係る磁石を利用したコンパクト容器の構成を示す組立斜視図である。
【発明を実施するための形態】
【００２０】
以下、図面を参照して本発明を詳細に説明する。各図面に提示された同一の参照符号は、同一の部材を示す。
【００２１】
図１は、本発明の第１実施例に係る磁石を利用したコンパクト容器の構成を示す分解斜視図であり、図２は、本発明の第１実施例に係る磁石を利用したコンパクト容器の構成を示す組立斜視図であり、図３は、本発明の第１実施例に係る磁石を利用コンパクト容器の構成を示す組立断面図である。
【００２２】
図１〜３を参照すると、本発明の好ましい実施例による磁石を利用したコンパクト容器は、下部ケース１００、中間ケース２００、密閉部材３００、上部ケース４００を含む。
【００２３】
下部ケース１００は、内容物を貯蔵するよう内容物貯蔵部を具備するものであり、内容物貯蔵部１１０に貯蔵する内容物は、固形パクトタイプまたは液状の内容物を含浸した内容物吸収部材５００で形成されることができる。内容物吸収部材５００は、液状の内容物を含浸することができるパフ、スポンジ、フォーム（foam）、ブラシなど、多様な種類で構成することができるし、好ましくは、内容物の吸収が容易な多孔質製品で構成することがよい。
【００２４】
また、内容物貯蔵部１１０の外周面には、中間ケース２００と結合できるように、外周面に結合突起１１１を具備する。
【００２５】
一方、下部ケース１００には、内容物貯蔵部１１０を取り囲み、内容物貯蔵部１１０から離間し形成されて、後述する下部磁石２４０の下端を支持する支持１２０を具備する。
【００２６】
中間ケース２００は、下部ケース１００の上部に結合するものであり、下部磁石２４０を設置する空間を形成し、下部に延長し形成されて、下部ケース１００の内容物貯蔵部１１０に結合する延長部２１０を具備する。
【００２７】
本発明において、中間ケース２００の上部内周面には、上部ケース４００の結合部４２０とネジ結合することができるように、第１ネジ山２２０が形成されることが特徴であり、第１ネジ山２２０と結合部４２０の第２ネジ山４２３のネジ結合を介して、上部ケース４００の脱着が行われるように構成することにより、千篇一律的なヒンジ結合による中間ケース２００と上部ケース４００の結合構造を脱皮することができるし、製品の生産過程で組立時間短縮を介して、生産性を向上させることができる。
【００２８】
また、第１ネジ山２２０と結合部４２０の第２ネジ山４２３のネジ結合過程で、結合部４２０の下端が密閉部材３００の上端を加圧して、内容物貯蔵部１１０の上端開栓部シーリング処理が行われるので、内容物貯蔵部１１０に貯蔵した内容物の液漏れを効率的に防止することができる。
【００２９】
一方、本発明において、中間ケース２００の上端には、内側から外側方向に下向傾斜を成し、曲面２３０を形成し、曲面２３０の内側には、後述する上部磁石４１３の引力によって、上部ケース４００の停止部４１２を中間ケースの曲面２３０に固定させる下部磁石２４０を具備することが特徴であり、下部磁石２４０は、曲面２３０の内側で曲面２３０全体にわたって位置するように構成される。これにより、上部ケース４００を中間ケース２００から脱離した後、曲面２３０のどこにでも上部ケース４００の停止部４１２を接触させるだけで、上部ケース４００が固定される。
【００３０】
曲面２３０は、上部ケース４００を固定する角度を形成し、ユーザーが上部ケース４００の鏡４１１を見て化粧をすることが容易になるように、上部ケース４００が９０度以上傾いた状態で、中間ケース２００の上端に固定されることができる曲面２３０を形成することが好ましい。
【００３１】
一方、中間ケース２００の上端が曲面２３０でない平面で形成される場合には、上部ケース４００を中間ケース２００と９０度を形成するように固定することができる。
【００３２】
密閉部材３００は、内容物貯蔵部１１０の上端開栓部を開閉するように、中間ケース２００にヒンジ結合するものであり、前面部にはヒンジ結合による上下回動の時に、操作が容易になるように取っ手部３１０が形成され、上部にはパフのような内容物塗布部材６００を収納することができるように収納溝３２０を形成する。
【００３３】
上部ケース４００は、内容物塗布部材６００を包んで、中間ケース２００に脱着できるようにネジ結合するものであり、カバー部４１０、結合部４２０を含む。
【００３４】
カバー部４１０は、中間ケース２００の上部を覆い位置するものであり、内側には、ユーザーが化粧の時に化粧部位を確認することができるように鏡４１１を設置する。
【００３５】
本発明において、カバー部４１０の側面一側には、曲面２３０に対応するように、陥没し形成される停止部４１２を具備し、停止部４１２の内側には、下部磁石２４０の引力によって停止部４１２を中間ケースの曲面２３０に固定させる上部磁石４１３を具備することが特徴であり、上部磁石４１３は、停止部４１２の内側に位置することにより、上部ケース４００を中間ケース２００から脱離した後、停止部４１２を曲面２３０に接触させることよって、上部ケース４００を９０度以上傾いた状態で、中間ケース２００の曲面２３０に固定することができる。
【００３６】
停止部４１２は、中間ケース２００の曲面２３０に対応する形状で形成されて、曲面２３０と接触の時に、上部ケース４００の動きが発生しないで、安定的に固定されることができる。
【００３７】
一方、カバー部４１０の内側には、上部磁石４１３を挿入する空間を形成し、上部磁石４１３の両側にそれぞれ接触して、上部磁石４１３を停止部４１２の内側に固定させる一対の固定突起４１４を具備するのに、本発明では、一対の固定突起４１４を介して上部磁石４１３を固定させることで説明した。しかしながら、多様な固定手段を介してカバー部４１０の内側に上部磁石４１３を固定させることができるべきである。
【００３８】
また、カバー部４１０の下面には、後述する結合部４２０の多数の突出部４２２と噛み合うように位置する複数の回転ガイド突起４１５を具備し、回転ガイド突起４１５と突出部４２２が噛み合った状態で位置するので、ユーザーがカバー部４１０を把持して、回転の時に、カバー部４１０の回転と一緒に結合部４２０が回転する。
【００３９】
結合部４２０は、カバー部４１０の内側に結合するものであり、鏡４１１が貫通し設置されることができるように貫通孔４２１を形成し、上面には、カバー部４１０の回転により一緒に回転することができるように、回転ガイド突起４１５と噛み合う多数の突出部４２２を具備する。
【００４０】
本発明において、結合部４２０には、中間ケース２００の第１ネジ山２２０とネジ結合するように、第２ネジ山４２３が形成されることが特徴であり、カバー部４１０を回転させる時に、カバー部４１０の回転と一緒に結合部４２０が回転する。これにより、第１ネジ山２２０と第２ネジ山４２３の結合または結合解除が行われることにより、中間ケース２００から上部ケース４００の脱着ができる。
【００４１】
結合部４２０は、中間ケース２００にネジ結合する過程で、下端が密閉部材３００の上端を加圧する。これにより、内容物貯蔵部１１０の上端開栓部をシーリングする処理が行われるので、貯蔵部１１０に貯蔵した内容物の液漏れを効率的に防止することができる。
【００４２】
以下では、図４及び５を参照して、本発明の第１実施例に係る磁石を利用したコンパクト容器の使用方法を説明する。
【００４３】
図４及び５を参照すると、中間ケース２００の第１ネジ山２２０と結合部４２０の第２ネジ山４２３がネジ結合した状態で、片手で中間ケース２００を把持してカバー部４１０を回転させると、カバー部４１０の内側に結合した結合部４２０が一緒に回転する。これにより、結合部４２０の第２ネジ山４２３と中間ケース２００の第１ネジ山２２０のネジ結合が解除され、中間ケース２００から上部ケース４００が脱離される。
【００４４】
前記のように、中間ケース２００から上部ケース４００を脱離した後、中間ケース２００の上端曲面２３０に停止部４１２が当接するように位置させると、停止部４１２の内側に具備した上部磁石４１３と曲面２３０の内側に具備した下部磁石２４０間の引力によって、中間ケース２００の上端曲面２３０に上部ケース４００が固定される。このとき、中間ケース２００の上端内側から外側方向に下向傾斜をなす曲面２３０の構造により、中間ケース２００に対して上部ケース４００が９０度以上傾いた状態で固定される。
【００４５】
次に、内容物塗布部材６００を収納ホーム３２０から抜き取った後、密閉部材３００を開栓させ、内容物塗布部材６００を利用して、内容物吸収部材５００に吸収された内容物をつけた後、鏡４１１を見て化粧をする。
【００４６】
すなわち、本発明は、上部ケース４００と中間ケース２００のネジ結合解除の時に、上部ケース４００が磁石を媒介して、中間ケース２００と９０度以上の角度を形成し、中間ケース２００の上端に固定するように構成されることにより、千篇一律的なヒンジ構造を脱皮して、新しいコンパクト容器の構造を提供することができる。
【００４７】
一方、図６を参照すると、本発明の第２実施例に係る磁石を利用したコンパクト容器は、上部ケース４００には停止部４１２の内側に固定し設置される上部磁石４１３を具備し、中間ケース２００の上端曲面２３０を金属材質で構成することが特徴であり、上部磁石４１３の磁力により、上部ケース４００の停止部が、中間ケース２００の曲面２３０に固定される。
【００４８】
また、図７を参照すると、本発明の第３実施例に係る磁石を利用したコンパクト容器は、中間ケース２００には、曲面２３０の内側に固定し設置される下部磁石２４０を具備し、上部ケース４００の停止部４１２が金属材質で構成されることが特徴であり、下部磁石２４０の磁力により、上部ケース４００の停止部４１２が、中間ケース２００の曲面２３０に固定される。
【００４９】
本発明の第２実施例及び第３実施例のように、中間ケース２００または上部ケース４００のいずれか一方にだけ磁石を設置する場合には、他の一方を金属材質を含む磁石に付くことができる多様な材質で構成することにより、中間ケース２００の上端に上部ケース４００を固定させることができる。
【００５０】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【符号の説明】
【００５１】
１００    下部ケース
２００    中間ケース
２４０    下部磁石
２２０    第１ネジ山
３００    密閉部材
４００    上部ケース
４１３    上部磁石
４２３    第２ネジ山
【図１】
2018522674.tif 000002
【図２】
2018522674.tif 000003
【図３】
2018522674.tif 000004
【図４】
2018522674.tif 000005
【図５】
2018522674.tif 000006
【図６】
2018522674.tif 000007
【図７】
2018522674.tif 000008
【国際調査報告】
2018522674.tif 000009
2018522674.tif 000010
2018522674.tif 000011
2018522674.tif 000012